(57)【要約】【課題】基板間コネクタの実装位置に誤差がある状態で組み立てても組み立て応力等のストレスによる影響が出ることを抑制する。基板に実装された複数の操作スイッチの適切な動作を保障する。外装部材の外観品位が低下することを抑制する。【解決手段】回路基板７をデジタルカメラの外装部材に対して位置決めして配置し、スイッチ基板１７における、少なくとも基板間コネクタ１８ａ、１８ｂから離間した範囲に、押下箇所が凸形状のタクトスイッチ２１を配置し、その凸形状のノブに平面で当接する平面形状の押し子２２が設けられた操作ボタン３ａを、外装部材の一部に配置する。【選択図】図１
2010050035.tif 000002
【特許請求の範囲】
【請求項１】
電子機器本体の外装部材と、
複数の電子部品および基板間コネクタの一方が実装され、前記外装部材に対して位置決めされる複数の電子部品が実装される回路基板と、
複数のスイッチおよび前記基板間コネクタの他方が実装され、前記外装部材に対して位置決めされずに前記回路基板と前記基板間コネクタによって接続されるスイッチ基板と、
前記複数のスイッチのそれぞれに対応するように、前記電子機器本体の外装部材側に配置された操作ボタンとを有し、
少なくとも前記基板間コネクタの他方の実装位置と前記複数のスイッチの実装位置が所定の距離以上となる位置には押下箇所が凸形状の凸形状スイッチを実装するとともに、前記凸形状スイッチに対応する操作ボタンには平面形状の押し子を形成することを特徴とする電子機器。
【請求項２】
前記基板間コネクタの他方の実装位置と前記複数のスイッチの実装位置が所定の距離以下となる位置には押下箇所がドーム形状のドーム形状スイッチを実装するとともに、
前記ドーム形状スイッチに対応する操作ボタンには凸形状の押し子を形成することを特徴とする電子機器。
【請求項３】
電子機器本体の外装部材と、
複数の電子部品および基板間コネクタの一方が実装され、前記外装部材に対して位置決めされる複数の電子部品が実装される回路基板と、
複数のスイッチおよび前記基板間コネクタの他方が実装され、前記外装部材に対して位置決めされずに前記回路基板と前記基板間コネクタによって接続されるスイッチ基板と、
前記複数のスイッチのそれぞれに対応するように、前記電子機器本体の外装部材側に配置された操作ボタンとを有し、
基板間コネクタの他方の実装位置と前記複数のスイッチの実装位置が所定の距離以下となる位置には第１のスイッチを実装するとともに、
前記第１のスイッチに対応する操作ボタンには凸形状の押し子を形成し、
前記基板間コネクタの他方の実装位置と前記複数のスイッチの実装位置が所定の距離以上となる位置には前記第１のスイッチの操作上のスウィートスポットよりも操作上のスウィートスポットの広い押下箇所が凸形状である第２のスイッチを実装するとともに、前記第２のスイッチに対応する操作ボタンには平面形状の押し子を形成することを特徴とする電子機器。
【請求項４】
前記回路基板には、外部インターフェース用の部品が実装されていることを特徴とする請求項１ないし３のいずれか１項に記載の電子機器。
【発明の詳細な説明】
【技術分野】
【０００１】
本発明は、デジタルカメラ等の複数の操作スイッチを備えた電子機器に関し、特に電子機器の内部に重ねて配置された複数の回路基板の相互間を基板間コネクタで接続して構成した電子機器に関する。
【背景技術】
【０００２】
従来の複数の操作キーを具えた携帯電話機等の電子機器には、キャビネット内の複数の回路基板の相互間を基板間コネクタで電気的に接続して構成したものがある。（例えば特許文献１参照）。
【０００３】
この従来の携帯電話機では、複数の操作キーが配列された携帯電話機の操作部側が、図８の分解斜視図に例示するように構成されている。
【０００４】
この携帯電話機における操作部の内部には、内側キャビネット半体１１１側から順に、ラバーシート１０４、キー基板１０５、シャーシ１０６及び回路基板７が配備されている。ラバーシート１０４は内側キャビネット半体１１１の内面に密着して設置されている。又、キー基板１０５と回路基板１０７は、シャーシ１０６によって互いに連結された状態で、ラバーシート１０４の裏面に密着して設置されている。
【０００５】
内側キャビネット半体１１１には、複数のキー孔１１１ａが開設されている。ラバーシート１０４の表面には、複数の操作キー（図示せず）が配備されている。これらの操作キーは、キー孔１１１ａからキャビネット内面側に臨出する。ラバーシート１０４の裏面には、各操作キーと背中合わせの位置に押し子１４１が突設されている。キー基板１０５の表面には複数のドームスイッチ（図示せず）が突設され、各ドームスイッチがラバーシート１０４の各押し子１４１と僅かな隙間をあけて対向している。
【０００６】
このように構成した携帯電話機では、任意の操作キーを操作すると、その操作力がラバーシート１０４を介してキー基板１０５の対応するドームスイッチに伝えられ、そのドームスイッチが押下されて、キー接点が閉じられる。
【０００７】
回路基板１０７には、複数の電子部品１７１が搭載されている。このキー基板１０５と回路基板１０７の対向面には、雄コネクタ１５２及び雌コネクタ１７２が配備されている。両コネクタ１５２、１７２は、互いに嵌合することによって、キー基板１０５に配備された複数のドームスイッチからの電気信号が回路基板１０７の電子部品１７１に伝えられて、キー操作に応じた動作が実現される。
【０００８】
また、この携帯電話機における操作部では、ラバーシート１０４の位置が、外装に設けられたキー孔１１１ａに合わせて位置決めされる。
【０００９】
さらに、この操作部では、ラバーシート１０４の押し子とキー基板に配置されたキー接点とを対向して配置させるように、キー基板がラバーシート１０４に対して位置決めされる。また、この操作部では、回路基板１０７に配置された外部インターフェース（携帯電話を外部のイヤホンジャックや充電器と接続するための部材）が図示しない外装の孔に一致して配置されるように、回路基板１０７と外装とを置決めして組み付ける。
【特許文献１】特開２００５−１８３１００号公報
【発明の開示】
【発明が解決しようとする課題】
【００１０】
しかしながら、上述した従来の構成では、キー基板が弾性シート（ラバーシート）に対して位置決めされ、キー基板が回路基板に対して位置決めされる。さらに、回路基板は、外装に対して位置決めされる。
【００１１】
このように位置決めして構成される操作部では、キー基板に配置された基板間コネクタの実装位置と、回路基板に配置された基板間コネクタの実装位置とに誤差（ばらつき）がある。このため、これら基板間コネクタを嵌合一体化して接続すると、各基板間コネクタが配置されているキー基板と回路基板とが、一体的に接続された状態の基板間コネクタを中心として相対的に回転し又は平行移動することになる。このように基板間コネクタで接続されたキー基板と回路基板とは、所定の重なり状態となるように位置決めすると、一体的に接続された状態の基板間コネクタを中心とした回転動作又は平行移動動作が元に戻されるようになる。このようにキー基板と回路基板とを所定の重なり状態となるように位置決めする場合には、基板間コネクタの実装部やコネクタそのものに、組み立て応力（ストレス）が働くことになる。そのため、基板間コネクタは、ストレス（組み立て応力）の影響により、実装部のはんだ付け部分にクラックが発生したり、はんだ付けした部分が剥がれたりし、場合によってコネクタ自体の破壊を招くにいたる。
【００１２】
そこで、この携帯電話機における操作部では、基板間コネクタにストレスがかからないように、キー基板側の位置決めを廃止して構成することが考えられる。しかし、この操作部をキー基板側の位置決めを廃止して構成した場合には、基板間コネクタの実装位置のばらつきによりキー基板が、弾性シートに対して基板間コネクタを中心として回転し又は平行移動して相対的な位置にずれを生じることがある。そして、弾性シートに配置した押し子と、キー基板に配置したキー接点が許容値を越えてずれた場合には、導通不良を発生することがある。
【００１３】
また、この携帯電話機における操作部では、基板間コネクタにストレスがかからないように、回路基板側の位置決めを廃止して構成することが考えられる。
【００１４】
しかし、この場合には、回路基板に配置された基板間コネクタの実装位置にばらつきがあると、接続状態の基板間コネクタを中心として、回路基板が図示しない外装に対して回転し又は平行移動して位置ずれを生じることになる。すると、回路基板を図示しない外装に組み付けたときに、回路基板に配置した外部インターフェース（携帯電話を外部のイヤホンジャックや充電器と接続するための部材）の位置と、図示しない外装の孔の位置とがずれを生じることになる。そこで、回路基板上に配置された外部インターフェース用の部材の位置のばらつきに対するクリアランスを確保するためには、外装の孔を大きくしなければならない。このように構成した場合には、外部インターフェースの部材と、外装の部品取り付け用の孔との間に大きな隙間ができて外観品位が著しく低下する。
【００１５】
本発明の目的は、複数の基板を組み立てる際に、基板間コネクタの実装位置に誤差がある状態で組み立てても、基板間コネクタの実装部やコネクタそのものに組み立て応力等のストレスによる影響が出ることを抑制する。
【課題を解決するための手段】
【００１６】
上記目的を達成するために、本発明の電子機器は、電子機器本体の外装部材と、複数の電子部品および基板間コネクタの一方が実装され、前記外装部材に対して位置決めされる複数の電子部品が実装される回路基板と、複数のスイッチおよび前記基板間コネクタの他方が実装され、前記外装部材に対して位置決めされずに前記回路基板と前記基板間コネクタによって接続されるスイッチ基板と、前記複数のスイッチのそれぞれに対応するように、前記電子機器本体の外装部材側に配置された操作ボタンとを有し、少なくとも前記基板間コネクタの他方の実装位置と前記複数のスイッチの実装位置が所定の距離以上となる位置には押下箇所が凸形状の凸形状スイッチを実装するとともに、前記凸形状スイッチに対応する操作ボタンには平面形状の押し子を形成することを特徴とする。
【００１７】
上記目的を達成するために、本発明の電子機器は、電子機器本体の外装部材と、複数の電子部品および基板間コネクタの一方が実装され、前記外装部材に対して位置決めされる複数の電子部品が実装される回路基板と、複数のスイッチおよび前記基板間コネクタの他方が実装され、前記外装部材に対して位置決めされずに前記回路基板と前記基板間コネクタによって接続されるスイッチ基板と、前記複数のスイッチのそれぞれに対応するように、前記電子機器本体の外装部材側に配置された操作ボタンとを有し、基板間コネクタの他方の実装位置と前記複数のスイッチの実装位置が所定の距離以下となる位置には第１のスイッチを実装するとともに、前記第１のスイッチに対応する操作ボタンには凸形状の押し子を形成し、前記基板間コネクタの他方の実装位置と前記複数のスイッチの実装位置が所定の距離以上となる位置には前記第１のスイッチの操作上のスウィートスポットよりも操作上のスウィートスポットの広い押下箇所が凸形状である第２のスイッチを実装するとともに、前記第２のタクトスイッチに対応する操作ボタンには平面形状の押し子を形成することを特徴とする。
【発明の効果】
【００１８】
本発明によれば、複数の基板を組み立てる際に、基板間コネクタの実装位置に誤差がある状態で組み立てても、基板間コネクタの実装部やコネクタそのものに組み立て応力等のストレスによる影響が出ることを抑制することができる。
【発明を実施するための最良の形態】
【００１９】
以下、本発明の第１実施の形態について、図１乃至図５を参照しながら説明する。
【００２０】
図１は、本発明の電子機器における実施の形態に係わる、デジタルカメラの背面に配置した操作ボタン周辺の部分を取り出して示す分解斜視図である。
【００２１】
図２は、本発明の実施の形態に係わる、デジタルカメラの背面に配置した操作ボタンの要部を取り出して示す概略断面図である。
【００２２】
図３は、本発明の電子機器における実施の形態に係わる、デジタルカメラ全体を背面側から見た斜視図である。
【００２３】
この図３に示すように、デジタルカメラ１は、カメラ本体の背面（電子機器本体の外装側）に液晶パネル等の表示部２と操作ボタン３とを備える。この表示部２は、再生モードでは撮影した画像を表示し、撮影モードではビューファインダーとして被写体像を表示する。また、操作ボタン３は、ユーザの押下操作に連動して、デジタルカメラ１内部のスイッチを押下するように構成されている。
【００２４】
なお図示しないが、このデジタルカメラ１は、被写体像をデジタルカメラ内部に取り込むための撮影レンズ、鏡筒ユニット及びストロボを備える。撮像レンズを通過した被写体像は、ＣＣＤの受光面上に結像し、結像した被写体の光量に応じた電荷が蓄積され、所定のタイミングでＣＣＤから出力される。
【００２５】
撮像信号処理部では、ＣＣＤから出力されたアナログ信号をＲ，Ｇ，Ｂ成分に分解し、ホワイトバランス調整やガンマ補正を行い、所要のタイミングでＲ，Ｇ，Ｂを順次Ａ／Ｄ変換し、得られたデジタル画像データを制御部に出力する。また、ストロボは被写体の光量が不足したときに補助光として発光する。
【００２６】
また図３に示すように、デジタルカメラ１の上面には、レリーズボタン４とパワーボタン５とを配置する。このレリーズボタン４は、半押しと全押しの二段階押し込み構造になっている。このレリーズボタン４が半押しされた場合には、ＡＦおよびＡＥがロックされるよう構成する。さらに、レリーズボタン４が全押しされた場合には、撮影画像の取り込みが行われるよう構成する。また、パワーボタン５は、デジタルカメラの電源のＯＮ／ＯＦＦ操作を行うためのものである。
【００２７】
図３に示すように、このデジタルカメラ１の内部には、撮像信号処理部や制御部等を構成するための複数の電子部品６が実装された回路基板７が配置されている。この回路基板７には、外部インターフェース用の部品であるＵＳＢジャックコネクタ８、電源ジャックコネクタ９及び図示しないＳＤカードコネクタが実装されている。
【００２８】
このデジタルカメラ１では、外部インターフェース用の部品が、デジタルカメラ１の電子機器本体の外装部材（ハウジング）側に一体的に構成された電池ボックス１０に設けられた開口部を通して外部に露出するよう配置されている。すなわち、このデジタルカメラ１では、電子機器本体の外装部材に設けた開口部に、外部インターフェース用の部品の一部を外部に露出させるように臨ませる状態に取り付ける。これと共に、このデジタルカメラ１では、回路基板７が電子機器本体の外装部材の一部を構成する電池ボックス１０の位置決めピン１１と回路基板７に設けた位置決め穴１２とで位置決めされ、ビス１３で電池ボックス１０に締結されて取り付けられている。
【００２９】
このデジタルカメラ１では、回路基板７を開口部と一体の電池ボックス１０に直接位置決めして取り付ける構造とし、外部インターフェース用の部品と開口部のクリアランスを均一で且つ小さく構成し、高い外観品位を実現している。
【００３０】
すなわち、このデジタルカメラ１では、デジタルカメラ１の電子機器本体の外装部材の一部を構成する電池ボックス１０に対して回路基板７を位置決めして固着する。この回路基板７に実装された、外部インターフェースであるＵＳＢジャックコネクタ８、電源ジャックコネクタ９及び図示しないＳＤカードコネクタは、それぞれ対応するデジタルカメラ１の外装部材に設けられた部品取り付け用の孔部分に装着される。よって、外部インターフェースであるＵＳＢジャックコネクタ８、電源ジャックコネクタ９及び図示しないＳＤカードコネクタは、それぞれデジタルカメラ１の外装部材に設けられた部品取り付け用の孔部分に正確に位置決めできる。このため、このデジタルカメラ１では、外部インターフェースであるＵＳＢジャックコネクタ８等と、デジタルカメラ１の外装部材に設けられた部品取り付け用の孔部分との間のクリアランスを小さく設定できる。これによりデジタルカメラ１は、外部インターフェースであるＵＳＢジャックコネクタ８等と、外装部材に設けられた部品取り付け用の孔部分との間に隙間ができないようにして外観品位を向上することができる。
【００３１】
図１及び図２に示すように、このデジタルカメラ１には、電子機器本体の外装部材側である背面部にユーザが押し操作する操作ボタン３を配置する。この操作ボタン３は、細いヒンジ１４で連結された一体型の成型品で、ヒンジ１４の途中に設けられた穴部１５と後カバー１６に設けられたピンを圧入することで、電子機器本体の外装部材の一部を構成する後カバー１６に固定されている。
【００３２】
この電子機器本体の外装部材の一部を構成するデジタルカメラ１の後カバー１６は、電池ボックス１０に対して外形を合わせて位置決めされた状態で取り付けられている。
【００３３】
図２に示すように、このデジタルカメラ１における後カバー１６の内側に配置される回路基板７には、その平面中央から下側に寄った所定位置に、一方の基板間コネクタ１８ａを突設する。
【００３４】
また、回路基板７に隣接して配置されるスイッチ基板１７の所定位置には、回路基板７に突設した一方の基板間コネクタ１８ａに嵌合可能に対向するように、他方の基板間コネクタ１８ｂを突設する。
【００３５】
そして、これら回路基板７とスイッチ基板１７とは、隣接して重ねることにより、所定間隔を空けた積層状に配置する。これと共に、回路基板７の基板間コネクタ１８ａには、スイッチ基板１７の基板間コネクタ１８ｂを嵌合して電気的に接続する。
【００３６】
また、スイッチ基板１７の基板間コネクタ１８ｂを設けたのとは反対の平面上には、複数のドーム型のタクトスイッチ１９と、押下箇所が凸形状に形成された複数のタクトスイッチ２１とを配置する。すなわち、タクトスイッチ１９は押下箇所がドーム形状のドーム形状スイッチ（第１のスイッチ）であり、タクトスイッチ２１は押下箇所が凸形状の凸形状スイッチ（第２のスイッチ）である。
【００３７】
ドーム型のタクトスイッチ１９は、半球型のドーム状ボタンが突出方向に付勢されて装着されている。このドーム型のタクトスイッチ１９では、ドーム状ボタンに加わる上方からの押圧力が突出方向の付勢力より大きい所定値以上に達すると一気に沈み込んで押下可能となるように構成されている。このドーム型のタクトスイッチ１９では、ドーム状ボタンが押下されると、その下方に配置された電気接点を接触させ、ＯＮ動作させる。
【００３８】
このドーム型のタクトスイッチ１９では、ドーム状ボタンの中心で最もバネ性が高くなるように構成されているので、押下箇所がドーム中心から離れるに従い操作フィーリングが劣っていくという特性がある。このため、ドーム型のタクトスイッチ１９のドーム状ボタンを操作する際の操作フィーリングの安定した領域をスウィートスポットと呼んでいる。
【００３９】
このドーム型のタクトスイッチ１９には、ドーム状ボタンに対向するように、ユーザが操作するための操作ボタン３が配置されている。この操作ボタン３の背面（ドーム状ボタンに対向する裏面部中央）には、凸形状（小柱形状）の押し子２０が突設されている。この操作ボタン３の押し子２０は、タクトスイッチ１９のドーム状ボタンの中心に当接可能に対向して配置される。そして、このドーム型のタクトスイッチ１９と操作ボタン３との組み合わせの構成では、ユーザが操作ボタン３を押すと凸形状の押し子２０が、タクトスイッチ１９のドーム状ボタンを押下してドーム型のタクトスイッチ１９がＯＮ動作される。よって、凸形状（小柱形状）の押し子２０をもつ操作ボタン３とドーム型のタクトスイッチ１９とを組み合わせた構成では、操作ボタン３の中心位置（凸形状の押し子２０の位置）と、タクトスイッチ１９の中心位置との間の誤差の許容範囲が狭い。
【００４０】
また、スイッチ基板１７に配置される押下箇所が凸形状のタクトスイッチ２１は、前述したドーム型のタクトスイッチ１９のドーム状ボタン上に凸形状の押下部材（凸形状のノブ）を一体的に配置して構成されている。
【００４１】
この押下箇所が凸形状のタクトスイッチ２１では、凸形状の押下部材（凸形状のノブ）に加わる上方からの押圧力が突出方向の付勢力より大きい所定値以上に達すると一気に沈み込む。そして、この押下箇所が凸形状のタクトスイッチ２１では、凸形状の押下部材がドーム状ボタンと一体となって沈み込む動作によって、ドーム状ボタンの下方に配置された電気接点を接触させてＯＮ動作させる。
【００４２】
この押下箇所が凸形状のタクトスイッチ２１には、凸形状の押下部材（ノブ）に対向するように、ユーザが操作するための操作ボタン３ａが配置されている。この操作ボタン３ａの背面（凸形状の押下部材に対向する裏面部）には、円形厚板状に突出して端面を平面に形成した平面形状の押し子２２が形成されている。
【００４３】
この操作ボタン３ａと、押下箇所が凸形状のタクトスイッチ２１とを組み合わせた構成では、ユーザが操作ボタン３を押すと押し子２２が、平面でタクトスイッチ２１の凸形状のノブに当接してタクトスイッチ２１を押下してＯＮ動作する。
【００４４】
この操作ボタン３ａと、押下箇所が凸形状のタクトスイッチ２１とを組み合わせた構成では、タクトスイッチ２１の凸形状のノブが、操作ボタン３ａの押し子２２の平面に当接するよう実装されていれば、適切に動作する。よって、平面形状の押し子２２をもつ操作ボタン３ａと押下箇所が凸形状のタクトスイッチ２１とを組み合わせた構成では、操作ボタン３ａの中心位置と、タクトスイッチ２１の中心位置との間の誤差の許容範囲が広い。
【００４５】
次に、このデジタルカメラ１において、スイッチ基板１７に配置されたタクトスイッチ１９、２１と、これに対応する後カバー１６に配置された操作ボタン３、３ａとの間に誤差を生じる場合に対応手段について、図４及び図５を参照して説明する。
【００４６】
図４は、本発明の実施の形態のデジタルカメラにおける、タクトスイッチと押し子との中心が相互に一致した状態を取り出して背面から見たときの位置関係を示す、概略説明図である。
【００４７】
図５は、本発明の実施の形態のデジタルカメラにおける、タクトスイッチと押し子との中心が相互に不一致となった状態を取り出して背面から見たときの位置関係を示す、概略説明図である。
【００４８】
このデジタルカメラ１では、回路基板７を電池ボックス１０に位置決めして配置する。これと共に、スイッチ基板１７は、基板間コネクタ１８ａ、１８ｂの実装位置のばらつき（誤差）に習って位置を変えた状態で、電子機器本体の内部構造体又は外装部材に取り付ける。このように組み立てることにより、基板間コネクタ１８ａ、１８ｂには、ストレスがかからない状態で組み立てることができる。
【００４９】
この基板間コネクタ１８ａ、１８ｂの実装位置のばらつきには、基板面内方向のｘ、ｙ方向の位置誤差と、基板間コネクタ１８ａ、１８ｂを中心として角度θだけ回転した回転方向の位置誤差とがある。
【００５０】
すなわち、基板間コネクタ１８ａ、１８ｂの実装位置のばらつきにより、スイッチ基板１７は、後カバー１６に対して、基板面内方向のｘ、ｙ方向に移動した位置ずれを生じることがある。これと共に、スイッチ基板１７は、後カバー１６に対して、基板間コネクタ１８ａ、１８ｂを中心とした角度θの回転方向の位置ずれを生じることがある。
【００５１】
そこで、このスイッチ基板１７では、基板間コネクタ１８ａ、１８ｂを中心とした回転方向の位置ずれの量が比較的小さな所定許容量より少ない範囲に、凸形状の押し子２０をもつ操作ボタン３とドーム型のタクトスイッチ１９との組を配置する。
【００５２】
このスイッチ基板１７では、基板間コネクタ１８ａ、１８ｂを中心とした回転方向の位置ずれの量が比較的大きな所定許容量より少ない範囲に、平面形状の押し子２２をもつ操作ボタン３ａと押下箇所が凸形状のタクトスイッチ２１との組を配置する。
【００５３】
本実施の形態では、基板間コネクタ１８ａ、１８ｂの近くに配置されるドーム型のタクトスイッチ１９のスウィートスポットがφ０．８ｍｍであり、基板間コネクタ１８のｘ、ｙ方向の実装位置のばらつきが±０．２ｍｍである。このため、操作ボタン３の押し子２０の凸部は、ドーム型のタクトスイッチ１９のスウィートスポット内に収まり、良好な操作フィーリングを維持できる。すなわち、基板間コネクタ１８ｂの実装位置とスイッチの実装位置が所定の距離以下となる位置にはドーム型のタクトスイッチ１９を実装する。そして、ドーム型のタクトスイッチ１９には凸形状の押し子２０が形成された操作ボタン３を対応させる。
【００５４】
また、ドーム型のタクトスイッチ１９は、基板間コネクタ１８ａ、１８ｂに近い場所に配置されるので、基板間コネクタ１８ａ、１８ｂを中心とした回転方向の位置ずれが回転中心に近いため十分小さくなる。よって、操作ボタン３の凸形状の押し子２０は、ドーム型のタクトスイッチ１９の操作上のスウィートスポット内に収まり、良好な操作フィーリングを維持する。  
【００５５】
また、基板間コネクタ１８から離れた位置に配置されるタクトスイッチ２１は、スイッチの凸形状のノブが、平面形状の押し子２２で押下される。このため、押下箇所が凸形状のタクトスイッチ２１は、平面形状の押し子２２の平面部がタクトスイッチ２１の凸形状のノブから外れない限りにおいて、操作フィーリングも操作力も変わらず一定である。さらに、この押下箇所が凸形状のタクトスイッチ２１においても、ｘ、ｙ方向の実装位置のばらつきが±０．２ｍｍであるので、操作ボタン３ａの押し子２２の平面部は、押下箇所が凸形状のタクトスイッチ２１の凸形状のノブから外れることは無い。
【００５６】
また、押下箇所が凸形状のタクトスイッチ２１は、基板間コネクタ１８ａ、１８ｂから離れた場所に配置されるので、タクトスイッチ２１と操作ボタン３ａとの相対的な移動量は大きくなる。しかし、操作ボタン３の押し子２２の平面部は、タクトスイッチ２１と操作ボタン３ａとの位置が最もずれた場合でもタクトスイッチ２１の凸部から外れない大きさに設定されている。よって、押下箇所が凸形状のタクトスイッチ２１は、操作ボタン３ａによって良好な操作フィーリングで操作される。
したがって、基板間コネクタ１８ｂの実装位置とスイッチの実装位置が所定の距離以上となる位置には押下箇所が凸形状のタクトスイッチ２１を実装する。そして、凸形状のタクトスイッチ２１には平面形状の押し子２２が形成された操作ボタン３ａを対応させる。
【００５７】
なお、デジタルカメラ１では、全てのタクトスイッチを押下箇所が凸形状のタクトスイッチ２１で構成することでも、上述した実施の形態で説明したのと同様の効果が得られる。
【００５８】
しかし、押下箇所が凸形状のタクトスイッチ２１は、ドーム型のタクトスイッチに凸形状のノブ部材を追加して構成するので、その分コストが高くなる。
【００５９】
そこで、このスイッチ基板１７では、基板間コネクタ１８ａ、１８ｂを中心とした回転方向の位置ずれの量が比較的小さな所定許容量より少ない範囲に、凸形状の押し子２０をもつ操作ボタン３とドーム型のタクトスイッチ１９との組を配置する。
【００６０】
これと共に、スイッチ基板１７には、基板間コネクタ１８ａ、１８ｂを中心とした回転方向の位置ずれの量が、比較的大きな所定許容量より少ない範囲に、操作ボタン３ａと押下箇所が凸形状のタクトスイッチ２１との組を配置する。
【００６１】
このように構成することにより、このデジタルカメラ１では、基板間コネクタ１８ａ、１８ｂの実装位置がばらついても、操作ボタン３、３ａを操作する際の操作フィーリングを良好に保つことができる。さらに、このように構成したデジタルカメラ１では、タクトスイッチのコストを最小限に抑えながら、外部インターフェース取り付け部の外観品位を高く維持することができる。
【００６２】
次に、本発明の第２実施の形態に係わる、操作ボタンとタクトスイッチとの組み合わせ部分の構成について、図６及び図７を参照して説明する。なお、この図６及び図７において、前述した図１乃至図５に示す部材に対応する部材には同一符号を附すこととして、説明の便に供する。
【００６３】
図６は、本発明の実施の形態に係わる、デジタルカメラの背面に配置した操作ボタンの要部を取り出して示す概略断面図である。
【００６４】
図７は、本発明の実施の形態のデジタルカメラにおける、タクトスイッチと他の構成の操作ボタンとの中心が相互に不一致となった状態を取り出して背面から見たときの位置関係を示す、概略説明図である。
【００６５】
このデジタルカメラ１におけるスイッチ基板１７の基板間コネクタ１８ａ、１８ｂに近接した所定範囲には、ドーム型のタクトスイッチ１９と凸形状の押し子２０を持つ操作ボタン３との組を配置する。これと共に、スイッチ基板１７の基板間コネクタ１８ａ、１８ｂから所定距離だけ離間した所定範囲には、押下箇所が凸形状のタクトスイッチ２１と凸形状の押し子２３を持つ操作ボタン３ｂとの組を配置する。
【００６６】
この基板間コネクタ１８ａ、１８ｂから離れた位置のタクトスイッチ２１は、凸形状のノブの平面部２４を備えたスイッチである。このタクトスイッチ２１に対向する操作ボタン３ｂには、凸形状の押し子２３が形成されている。この押し子２３は、タクトスイッチ２１の凸形状のノブの平面部２４における中心に対向するように配置されている。
【００６７】
このタクトスイッチ２１と操作ボタン３ｂとの組では、ユーザが操作ボタン３ｂを押すと、凸形状の押し子２３が、凸形状のノブの平面部２４を押下してドーム状ボタンと一体となって沈み込み、電気接点を接触させてＯＮ動作させる。
【００６８】
このタクトスイッチ２１では、凸形状のノブの平面部２４におけるどの位置を凸形状の押し子２３が押しても操作フィーリングも操作力も変わらず一定となるように構成されている。この凸形状のノブの平面部２４の操作上のスウィートスポットの広さは、ドーム型のタクトスイッチ１９のスウィートスポットより広い。
【００６９】
なお、押下箇所が凸形状のタクトスイッチ２１における凸形状のノブの平面部２４の大きさは、スウィートスポットの範囲内で拡張して大型化可能である。すなわち、ノブの平面部２４の大きさは、操作ボタン３の凸形状の押し子２３がノブの平面部２４を押してこれと一体のドーム状ボタンを操作する際の操作フィーリングが安定する範囲内で拡張して大型化可能である。
【００７０】
上述のように構成したデジタルカメラ１では、基板間コネクタ１８の実装位置が全くばらつかない場合に、各タクトスイッチ１９、２１と対向する操作ボタン３、３ｂの押し子２０、２３の中心が一致する。このため、このデジタルカメラ１では、ユーザが、操作ボタン３、３ｂを押すと、押し子２０、２３を介してタクトスイッチ１９、２１が押下されてＯＮ動作し、ＯＮ信号が制御部に伝達される。
【００７１】
図７に示すように、基板間コネクタ１８ａ、１８ｂの実装位置がばらついた場合には、スイッチ基板１７が後カバー１６に対して、基板面内方向のｘ、ｙ方向の相対移動する。またはスイッチ基板１７が基板間コネクタ１８ａ、１８ｂを中心として角度θだけ回転するように相対移動する。
【００７２】
基板間コネクタ１８ａ、１８ｂの近傍に配置されたタクトスイッチ１９は、本実施の形態ではスウィートスポットがφ０．８ｍｍであり、基板間コネクタ１８のｘ、ｙ方向の実装位置ばらつきは±０．２ｍｍである。このため、操作ボタン３の押し子２０の凸部は、スウィートスポット内に収まるので、良好な操作フィーリングを維持できる。
【００７３】
また、基板間コネクタ１８ａ、１８ｂの実装位置のばらつきにより、スイッチ基板１７が基板間コネクタ１８ａ、１８ｂを中心として角度θだけ回転した場合には、ドーム型のタクトスイッチ１９と操作ボタン３との位置も回転してずれる。しかし、基板間コネクタ１８ａ、１８ｂに近い場所に配置されるドーム型のタクトスイッチ１９は、基板間コネクタ１８ａ、１８ｂを中心とした回転方向の位置ずれが回転中心に近いため十分小さくなる。よって、操作ボタン３の凸形状の押し子２０は、ドーム型のタクトスイッチ１９のスウィートスポット内に収まり、良好な操作フィーリングを維持する。
【００７４】
また本実施の形態では、基板間コネクタ１８ａ、１８ｂから離れた位置に配置される押下箇所が凸形状のタクトスイッチ２１における凸部のノブの平面部２４がφ２．０ｍｍである。これと共に、基板間コネクタ１８のｘ、ｙ方向の実装位置ばらつきは、±０．２ｍｍであるため、操作ボタン３ｂの凸形状の押し子２３が凸形状のノブの平面部２４内に収まり、良好な操作フィーリングを維持できる。
【００７５】
また、基板間コネクタ１８ａ、１８ｂを中心としてスイッチ基板１７が角度θだけ回転して生じる移動量は、押下箇所が凸形状のタクトスイッチ２１が回転中心である基板間コネクタ１８ａ、１８ｂから離れているために大きくなる。しかし、タクトスイッチ２１における凸形状のノブの平面部２４は、ドーム型のタクトスイッチ１９のスウィートスポットよりも広い。このため、スイッチ基板１７が最も移動した場合でも操作ボタン３ｂの凸形状の押し子２３は、凸形状のノブの平面部２４から外れることはないので良好な操作フィーリングを維持できる。
【００７６】
なお、本発明の第２実施の形態における、以上説明した以外の構成、作用及び効果は、前述した第１実施の形態と同様であるので、その説明を省略する。
【図面の簡単な説明】
【００７７】
【図１】本発明の電子機器における実施の形態に係わる、デジタルカメラの背面に配置した操作ボタン周辺の部分を取り出して示す分解斜視図である。
【図２】本発明の実施の形態に係わる、デジタルカメラの背面に配置した操作ボタンの要部を取り出して示す概略断面図である。
【図３】本発明の電子機器における実施の形態に係わる、デジタルカメラ全体を背面側から見た斜視図である。
【図４】本発明の実施の形態のデジタルカメラにおける、タクトスイッチと押し子との中心が相互に一致した状態を取り出して背面から見たときの位置関係を示す、概略説明図である。
【図５】本発明の実施の形態のデジタルカメラにおける、タクトスイッチと押し子との中心が相互に不一致となった状態を取り出して背面から見たときの位置関係を示す、概略説明図である。
【図６】本発明の実施の形態に係わる、デジタルカメラの背面に配置した操作ボタンの要部を取り出して示す概略断面図である。
【図７】本発明の実施の形態のデジタルカメラにおける、タクトスイッチと他の構成の操作ボタンとの中心が相互に不一致となった状態を取り出して背面から見たときの位置関係を示す、概略説明図である。
【図８】従来の携帯電話機における複数の操作キーが配列された操作部側を取り出して示す分解斜視図である。
【符号の説明】
【００７８】
１  デジタルカメラ
２  表示部
３  操作ボタン
３ａ  操作ボタン
３ｂ  操作ボタン
６  電子部品
７  回路基板
８  ＵＳＢジャックコネクタ
９  電源ジャックコネクタ
１０  電池ボックス
１１  電池ボックスの位置決めピン
１２  回路基板の位置決め穴
１６  後カバー
１７  スイッチ基板
１８ａ、１８ｂ  基板間コネクタ
１９  ドーム型のタクトスイッチ
２０  凸形状の押し子
２１  押下箇所が凸形状のタクトスイッチ
２２  平面形状の押し子
２３  凸形状の押し子
２４  凸形状のノブの平面部
【図１】
2010050035.tif 000003
【図２】
2010050035.tif 000004
【図３】
2010050035.tif 000005
【図４】
2010050035.tif 000006
【図５】
2010050035.tif 000007
【図６】
2010050035.tif 000008
【図７】
2010050035.tif 000009
【図８】
2010050035.tif 000010